(57)【要約】【課題】便器のボール内に溜まった水を容易に排水すること。【解決手段】便器２０のボール部２２に溜まった水を排水するための便器用排水ポンプであって、手動で水を汲み上げるポンプ部１２と、該ポンプ部１２に連結された吸水管１４及び可撓性を有する排水管１６と、該排水管１６を挿入し、排水管１６の形状を維持するガイド管１８を備える。前記ガイド管１８は水抜き溝又は孔１９を備え、前記ボール部２２の底に配置したときに、排水管１６の先端部１７を便器前壁又は後壁の裏側に配置された排水口２４内に配置できるように、上向きに湾曲した形状に形成されている。【選択図】          図１
2008006082.tif 000002
【特許請求の範囲】
【請求項１】
手動で水を汲み上げるポンプ部と、該ポンプ部に連結された吸水管及び可撓性を有する排水管と、該排水管を挿入する剛性ガイド管とを備えた、便器のボール部に溜まった水を排水するための便器用排水ポンプであって、
前記ガイド管は、前記ボールの底に配置したときに、排水管の先端部をその先端部が便器の前壁又は後壁の裏側に配置された排水口内に配置可能な上向き湾曲形状に形成されていることを特徴とする便器用排水ポンプ。
【請求項２】
請求項１に記載された便器用排水ポンプにおいて、
前記ガイド管は、少なくとも前記ボール部の底に接触する部分に排水孔又は溝が形成されていることを特徴とする便器用排水ポンプ。
【請求項３】
請求項１に記載された便器用排水ポンプにおいて、
前記ガイド管は、剛性を有する網状管体で形成されていることを特徴とする便器用排水ポンプ。
【発明の詳細な説明】
【技術分野】
【０００１】
本発明は、ポンプとくに便器用排水ポンプに関するものである。
【背景技術】
【０００２】
下水道の整備により水洗式のトイレが普及してきている。
図１は、いわゆる洋式便器（以下、単に便器という）を概略的に示す断面図である。
この断面図に示すように、便器２０のボール部２２面には常に水が溜まった状態であり、掃除を怠ると、便器２０の喫水面近傍やボール内面に汚れが付着し、不衛生になるとともに見た目も悪くなる。また、それだけではなく悪臭を放つようになる。
そのため、便器２０の汚れを取り除き衛生的な状態を保つため頻繁に清掃を行うことが必要である。
【０００３】
清掃は汚れをブラシで擦り落としたり高圧水で流して行うが、毎日行うには手間がかかり煩雑である。とくに便器のボール面は常に水が溜まっているため掃除がし難いという問題がある。また、ボール部に清掃用の薬剤をいれても溜まった水で希釈され清掃効果が低減し、大量の薬剤が必要であるなどの問題がある。そこで、溜まった水を除去することも考えられるが、実際に除去するには、例えば、雑巾などを用いて水を吸い取らせるが、便器に溜まった水の中に手を入れるのは抵抗感がありかつ排水に手間が掛かるという問題がある。
【０００４】
そこで便器の掃除の手間を少なくするため、便器についた汚れを効率よく容易に除去するため、便器に付着した汚れに超音波を照射して除去するものが知られている（特許文献１）。
これは、便器に液体を張って超音波で液体に振動を付与するか、空中で汚染部に超音波を照射するか、或いは、汚染部に直接超音波振動子を作用させるものである。
この装置は便器の汚れを超音波で除去するものであるが、これとは別に、便器のボール部分に溜まっている水の中の微生物に着目して、超音波で微生物の繁殖を抑え或いは殺菌して、微生物の繁殖に伴う汚れ付着を長期に渡って抑制し、便器のボール部の清掃を頻繁に行わなくとも衛生的な状態が保てるようにした水洗便所も提案されている（特許文献２）。
しかしながら、一般家庭でこれらの装置を備えるにはコストが掛かり手軽に利用できないという問題がある。
【０００５】
【特許文献１】特開平１０−１５５１０号公報
【特許文献２】特開平１１−２９３７５号公報
【発明の開示】
【発明が解決しようとする課題】
【０００６】
本発明は、従来の便器清掃における上記のような問題に鑑みてなされたものであって、その目的は、従来の便器の清掃において問題となる、便器内に溜まった水を容易に排水できるポンプを提供することであり、コストを掛けずに、したがってどの家庭でも容易に入手でき、取り扱いが簡便な便器用排水ポンプを提供して、便器の清掃をより簡単かつ完全に行えるようにすることである。
【課題を解決するための手段】
【０００７】
請求項１の発明は、手動で水を汲み上げるポンプ部と、該ポンプ部に連結された吸水管及び可撓性を有する排水管と、該排水管を挿入する剛性ガイド管とを備えた、便器のボール部に溜まった水を排水するための便器用排水ポンプであって、前記ガイド管は、前記ボールの底に配置したときに、排水管の先端部をその先端部が便器の前壁又は後壁の裏側に配置された排水口内に配置可能な上向き湾曲形状に形成されていることを特徴とする。
請求項２の発明は、請求項１に記載された便器用排水ポンプにおいて、前記ガイド管は、少なくとも前記ボール部の底に接触する部分に排水孔又は溝が形成されていることを特徴とする。
請求項３の発明は、請求項１に記載された便器用排水ポンプにおいて、前記ガイド管は、剛性を有する網状管体で形成されていることを特徴とする。
【発明の効果】
【０００８】
従来の例えば家庭用の給油ポンプを用いて容易に製造でき、しかも便器のボール内の水を容易に排水することができるため、便器の清掃をより簡単かつ完全に行うことができる。また、そのコストは極めて低廉である。
【発明を実施するための最良の形態】
【０００９】
図１は、本発明の実施形態に係る便器用排水ポンプの側面図で便器内に設置した使用状態を示す図面であり、図１Ａ及び１Ｂは、便器内の排水口の位置により異なる位置に設置した状態を示している。
本実施形態に係る便器用排水ポンプ１０は、従来の例えば家庭用の給油ポンプと同様の構成である。即ち、伸縮操作により内部容積を変更してポンプ作用をする樽形の柔軟な手動式のポンプ部１２と、該ポンプ部１２から直線状に延び、便器２０のボール部２２に溜まった水を吸い上げる吸水管１４、及び、第１の吸水管１４と直交状に交わり、ポンプ部１２で吸い上げた水を便器の排水口２４に送り出す柔軟な、つまり可撓性のある排水管１６を備えている。
【００１０】
吸水管１４は、剛性のある合成樹脂製のパイプで形成され、先端（又は下端）に吸込口１５を有している。排水管１６の先端は、便器２０のボール部２２内に溜まった水中に突入させる部分と、柔軟性のあるひだ付き管とからなっている。ポンプ部１２の内部には、吸水管１４側からポンプ部１２を経由して排水管１６側への水の送り出しのみを許容する図示しない逆止弁が設けられている。また、ポンプ部１２の上部には、該ポンプ部３内を外気と連通させる空気抜きつまみ３０が設けられる。
なお、前記ポンプ１０は、従来の手動式の家庭用の給油ポンプと同様にポリエチレン等の合成樹脂でできている。
【００１１】
ところで、前記ポンプ１０を用いて便器２０のボール部２２の底に溜まった水を排水するためには、前記ポンプ１０の排水管１６を便器２０の排水口２４内に挿入する必要があるが、前記排水管１６は、柔軟に構成されているからその先端部を、便器２０の前壁（図１Ｂ）又は後壁（図１Ａ）の裏側に設けられ、実際には外から隠れた排水口２４中に挿入することは容易ではない。
とくに、便器２０の清掃は頻繁に行われることから、従来の給油ポンプを用いて、その排水管の先端部を隠れた排水口２４に差し込んで、便器２０のボール部２２内の水を排水することはまず不可能である。
【００１２】
そこで、本実施形態では、この排水管１６の形状を安定させかつその先端部の部分１７（図２参照）を排水口２４内に配置するためのガイド管１８を用いている。即ち、排水管１６をガイド管１８中に挿入し、その状態でガイド管１８の湾曲形状を利用して便器２０の前壁又は後壁の裏側から挿入する。排水管１６からの排水は排水用管路２６を通って図示しない下水に流れる。
図２は、前記ポンプ１０とガイド管１８の分解斜視図である。図示のようにガイド管１８は直線部分１８ａとこの直線状部分１８ａに続く湾曲部分１８ｂとからなっている。排水管１６をガイド管１８に通した状態で、ガイド管１８と排水管１６を便器の前壁又は後壁の裏側から挿入する。ガイド管１８の湾曲部分１８ｂは、排水管１６の先端部１７を排水口２４内に容易に導くことができるよう、図示のように、実際の便器２０の構造に合わせて下から上に向かって湾曲した形状に形成されている。
【００１３】
なお、ガイド管１８の湾曲部１８ｂを、便器の前壁又は後壁の裏側から挿入するのみで排水管１６の先端部１７が排水口２４内に届く長さに構成すると、ガイド管１８の湾曲部１８ｂが長くなり過ぎて便器の前壁又は後壁の裏側から挿入できなくなる。そのため、ガイド管１８の湾曲部１８ｂを若干短く形成し、湾曲部１８ｂの一部を前記便器の前壁又は後壁の裏側に差し込んだ状態で、排水管１６をガイド管１８に沿って排水口２４に向かって押し出すようにする。
このようにすることにより、配水管を排水口２４にスムーズに配置することができる。
【００１４】
図３は、前記ポンプ１０の排水管１６にガイド管１８を装着した本願発明の実施形態に係る便器用排水ポンプの斜視図である。
この図から明らかなように、前記ポンプ１０の吸水管１４先端を便器２０のボール部２２の底に当て、かつ排水管１６の先端部１７を排水口２４内に配置したときに、少なくともガイド管１８の湾曲部１８ｂが前記ボール部２２の底面に接触する部分にはガイド管１８の水抜き溝又は孔１９が形成されている。
【００１５】
この水抜き溝又は孔１９は、ガイド管１８を前記ボール部２２内に溜まった水中に入れたときに、その内部に侵入した水を排水するためのものである。この水抜き溝又は孔１９の形状は自由であるが、ガイド管１８に排水管１６を挿入するときに、排水管１６の先端部１７が水抜き溝又は孔１９の縁に当たって挿入時の抵抗とならないように、例えば排水管１６の径に比して十分小さな径の小穴とする、或いは細い溝に形成することができる。勿論小穴（形状は任意である）を並べて複数個を形成しても、あるいは細い溝を並行に或いは非並行に複数条設けてもよい。
また、水抜き溝又は孔１９を設ける代わりに、ガイド管１８の形状が維持できるものであれば、全体が網状の管体で形成してもよい。ガイド管１８をこのように形成することにより、水はガイド管１８の内外を自由に出入りすることができる。いずれにしても、ガイド管１８内に侵入した水は全てこの便器用排水ポンプ１０で完全に排水することができる。
【００１６】
以上のように、本実施形態に係る便器用排水ポンプ１０を用いるときは、剛性のあるガイド管１８の湾曲形状を利用して、ガイド管１８を便器の前壁又は後壁の下端部からスムーズにその裏側に挿入することができる。それによって、ガイド管１８の内部に挿通した排水管１６の端部を排水口２４内に容易に配置することができる。
また、排水管１６は剛性のあるガイド管１８によってその形状が維持されるから、排水中に誤ってポンプを動かしても、排水管１６が排水口２４から妄りに外れることがない。
【００１７】
このように、例えば従来の家庭用給油ポンプを用いて、単にその排出側の管にガイド管１８を嵌めることでこれを便器用排水ポンプに作り替えることができ、極めて低コストで便器のボールの底に溜まった水を排水することができる。
便器の排水を行った後、洗浄用化学薬品、界面活性剤又は研磨剤等を用いて便器内面及び底面をブラシ掛けするか又は水で洗浄することで便器の汚れを完全に落とし、しかも溜まった水の中の微生物も完全に除去することができるため、便器の美観だけではなくその衛生状態も長く良好に維持することができる。
【図面の簡単な説明】
【００１８】
【図１】本発明の１実施形態に係る便器用排水ポンプの使用状態を示す側面図である。
【図２】便器用排水ポンプの分解斜視図である。
【図３】便器用排水ポンプの斜視図である。
【符号の説明】
【００１９】
１０・・・便器用排水ポンプ、１２・・・ポンプ部、１４・・・吸水管、１６・・・排水管、１８・・・ガイド管、１９・・・水抜き溝又は孔、２０・・・便器、２２・・・ボール部、２４・・・排水口、２６・・・排水用管路。
【図１】
2008006082.tif 000003
【図２】
2008006082.tif 000004
【図３】
2008006082.tif 000005